(57)【要約】【課題】制御装置の交換を容易にし、収納部の箱体内部にコネクタのリード線を水平方向により上に引きまわしをできないように構成し、充電部への水滴付着を防止すること。【解決手段】一方が制御装置１４と連結する配線１９の他方の連結部１８が箱体１５に収納され、連結部１８は、配線１９の最下点より高い位置に位置するので、連結部１８の収納方法を簡単にし、サービス時の制御装置の交換を容易にする。また、収納部の箱体１５内部にコネクタのリード線を水平方向により上に引きまわしをできないように構成しているため、充電部への水滴付着を防止することができる。【選択図】図１
2009279113.tif 000002
【特許請求の範囲】
【請求項１】
開口部を有する筐体と、前記筐体内に設けられた洗浄槽と、前記開口部を開閉する扉体と、前記扉体に設けられた操作盤と、前記操作盤内に設けられるとともにカバーで覆われた制御装置とを備え、前記カバーは箱体を有しており、一方が制御装置と連結する配線の他方の連結部が前記箱体に収納され、前記連結部は、前記配線の最下点より高い位置に位置する食器洗い機。
【請求項２】
箱体は、回転軸を有する上蓋と前記回転軸を保持する係止部を有する収納体とを有し、前記上蓋は開閉可能である請求項１に記載の食器洗い機。
【発明の詳細な説明】
【技術分野】
【０００１】
本発明は、食器洗い機の操作パネルの不燃化に関するものである。
【背景技術】
【０００２】
従来、この種のスイッチの操作装置、たとえば、食器洗い機のスイッチを操作するスイッチの操作装置は図５〜図８に示すように構成していた。以下、その構成について、食器洗い機の構成とともに説明する。
【０００３】
図５に示すように、食器洗い機本体１０１は、内部に洗浄槽１０２を設けており、この洗浄槽１０２内へ給水弁１０３により水または湯を供給するようにしている。洗浄槽１０２の底部に排水孔１０４を設け、この排水孔１０４の他側部に連通したポンプ室に、モータ１０５によって駆動される洗浄ポンプ１０６を取り付け、この洗浄ポンプ１０６により洗浄水を洗浄槽１０２の内部に循環するよう構成している。
【０００４】
制御装置１０７は、給水弁１０３、洗浄ポンプ１０６などの動作を制御し、洗浄、すすぎ、乾燥などの一連の行程を逐次制御するもので、この制御装置１０７および操作パネル部１０８は図６および図７に示すような構成をしている。
【０００５】
制御装置１０７は、図６および図７に示すように、プリント基板１０８の上にマイクロコンピュータなどの電子部品と押しボタン型のスイッチ部１０９を装着している。スイッチ部１０９は、使用者が操作することにより、食器洗い機の運転コースの設定、すすぎ温度の設定、乾燥時間の設定、スタート・一時停止などを入力するものである。
【０００６】
制御装置１０７の前面には、樹脂製の操作パネル部１１０を配置し、さらにこの前面に薄い表面カバー部１１１を配置して、操作の内容の表示を表示したり、使用者の操作をスイッチ部１０９に伝達する機構を設けている。
【０００７】
ここで、使用者の操作をスイッチ部１０９に伝達するための機構として、操作パネル部１１０に一体成型した入力伝達部１１２を設け、この入力伝達部１１２は、弾性部１１３と棒状部１１４とにより構成している。弾性部１１３はベースとなる操作パネル部１１０の面に細い渦巻き状のリブにより構成し、操作パネル部１１０のベース面と棒状部１１４との間を切り離し、棒状部１１４が前後に自由に動作できるようにし、使用者の入力をスイッチ部１０９に伝達するように構成している。
【０００８】
すなわち、使用者が運転コースの設定、すすぎ温度の設定、乾燥時間の設定、スタート・一時停止などを入力するために表面カバー部１１１に形成した押圧部１１１ａを押すと、棒状部１１４が後方に動きスイッチ部１０９を押すことができ、制御装置１０７は使用者の操作を認識するようになっている。
【０００９】
図８に示すように制御装置１０７と本体の制御装置（図示せず）とは、連結部であるコネクタ１１５で接続されているものが一般的であり、表面カバー部１１１で覆いその入口をテープ１１６で束ねるように構成されている（例えば、特許文献１参照）。
【特許文献１】特開２００３−２１７３８８号公報
【発明の開示】
【発明が解決しようとする課題】
【００１０】
従来の食器洗い機は、操作パネルや制御装置にコネクタを収納したケミコンカバーの収
納部を配設している。コネクタをケミコンカバーに収納後、入口をリード線で束ねまたはテープなどで塞ぐなど作業者の手間が増えるとともに取付け方法が作業者によって違いが生じやすい構成となっている。そのため、仮に操作パネル内に水が浸入した場合、リード線を伝いケミコンカバーの中まで水が伝わりコネクタ部に水滴付着してしまい、操作パネルの故障の原因になるという課題があった。
【００１１】
本発明は、前記従来の課題を解決するもので、連結部の収納方法を簡単にし、サービス時の制御装置の交換を容易にする食器洗い機を提供することを目的とする。
【課題を解決するための手段】
【００１２】
前記従来の課題を解決するために、本発明の食器洗い機は、一方が制御装置と連結する配線の他方の連結部が箱体に収納され、連結部は、前記配線の最下点より高い位置に位置するので、連結部の収納方法を簡単にし、サービス時の制御装置の交換を容易にする。
【発明の効果】
【００１３】
本発明の食器洗い機は、コネクタの収納方法を簡単にすることができるため、サービス時の制御装置の交換を容易にすることができる。また、収納部の箱体内部にコネクタのリード線を水平方向により上に引きまわしをできないように構成しているため、充電部への水滴付着を防止することができる。
【発明を実施するための最良の形態】
【００１４】
第１の発明は、開口部を有する筐体と、前記筐体内に設けられた洗浄槽と、前記開口部を開閉する扉体と、前記扉体に設けられた操作盤と、前記操作盤内に設けられるとともにカバーで覆われた制御装置とを備え、前記カバーは箱体を有しており、一方が制御装置と連結する配線の他方の連結部が前記箱体に収納され、前記連結部は、前記配線の最下点より高い位置に位置する構成としたものであり、コネクタの収納方法を簡単にすることができる。また、制御装置の交換を容易にすることができるとともに、収納部の箱体内部にコネクタのリード線を水平方向より上に引きまわしできないように構成しているため、充電部への水滴付着を防止することができる。
【００１５】
仮に、操作パネルの隙間より水が浸入しても防水リブを形成しているため、直接箱体に水が付着することはない。また、水がリード線をつたって浸入しコネクタ部でショートを起こした場合でも箱体を不燃化材料で構成することにより、箱体内部で窒息消化が可能のため、製品安全性を向上させることができる。
【００１６】
第２の発明は、第１の発明において、前記箱体のは、回転軸を有する上蓋と前記回転軸を保持する係止部を有する収納体とを有し、前記上フタは開閉可能である構成としたもので、前記箱体の上蓋と下の収納体とをツメなどで係合して取り付けるようにしたため、コネクタ連結後に再度取り外しが必要な場合は、蓋を開閉するだけでコネクタの連結を外す事ができるため、部品交換などの作業性を向上させることができるとともに、作業工数を少なくすることにより組立不具合の発生の抑制を実現することができる。
【００１７】
以下、本発明の実施の形態について、図面を参照しながら説明する。なお、本実施の形態によって本発明が限定されるものではない。
【００１８】
（実施の形態１）
図１に示すように、筐体１において、筐体１は内部に洗浄槽２を有し、筐体１を外側方から見たときの上部の外郭形状は、前面１ａから背面１ｂにかけて上方へ膨出する略円弧状に形成した円弧状部１ｃを有している。また、前面形状は略平面で形成した平面部を有している。食器等の被洗浄物を収納する食器カゴ３を収容する洗浄槽２で筐体１に内装さ
れている。洗浄槽２の上部形状は、筐体１上部の円弧状部１ｃの内面に沿うように上面から背面にかけて上方へ膨出する略円弧状に形成し、前面から上面にかけて開口する開口部４を設けるとともに、この開口部４を閉塞する開閉自在な扉体５を備えている。扉体５は、筐体１の上面に設けられた開口部４を筐体１上部の外側へ開く上扉６と、前記筐体１の前面に設けられた開口部４を下方へ開く下扉７で構成されており、上扉６は洗浄槽２の内部を視認するための窓を備えている。上扉６の縦断面形状は、筐体１の上面形状と同じく外方へ膨出する略円弧状に形成しており、筐体１上部の円弧状部１ｃに沿うように移動して開口部４を開閉する。食器カゴ３は、上段カゴ８と下段カゴ９の上下二段で構成されており、上段カゴ８は、下段カゴ９と構成部材を共用している。そして、食器カゴ３は、側面に摺動部を設けるとともに、洗浄槽２の内側面に設けた支持部１０に対して前後方向に摺動可能に支持されており、下扉７を開いた時に下扉７上に引き出し可能である。洗浄ノズル１１は、洗浄ポンプ１２により加圧した洗浄水を食器に向けて噴射する。洗浄槽２の下部には、洗浄水を加熱するヒータ１３を配置している。制御装置１４は洗浄槽２の下部に設けられており、洗浄ポンプ１３やヒータ１３等を制御する。
【００１９】
図２、図３に示すように、制御装置１４は、操作盤１６内に設けられるとともに、カバー２５で覆われている。カバー２５は箱体１５を有しており、制御装置１４と連結する配線１９のうち他方の連結部１８が箱体１５に収納され、連結部１８は、配線１９の最下店より高い位置に位置する。
【００２０】
また、箱体１５の収納体１５ａは、操作盤１６の裏面にツメ１７ａあるいはネジ止め（図示せず）にて固定し、収納体１５ａの内部に連結部１８を配設して上蓋１５ｂをツメ１７ｂにて収納体１５ａに取り付ける構成としており、配線１９は、連結部である連結部１８水平面から上側にならないようにインシュロック２０やリブ２１にて固定するため、連結部１８の収納方法を簡単にすることができる。また、機器のメンテナンスを行う際時の制御装置の交換を容易にすることができ、充電部への水滴付着を防止することができる。仮に操作パネルの隙間より水が浸入しても防水リブ２１ａを形成しているため、直接箱体１５に水が付着することはない。また、水がリード線をつたって箱体１５内に浸入し連結部１８でショートを起こした場合でも箱体１５を不燃化材料で構成することにより、箱体１５内部で窒息消化が可能のため、製品安全性を向上させることができる。
【００２１】
（実施の形態２）
図４は、本発明の実施の形態２の食器洗い機の断面図である。図２において、図１および図３と同じ構成要素については同じ符号を用い、説明を省略する。図２に示すように、箱体１５の上蓋１５ｂに回転軸２２を有し、収納体１５ａに回転軸２２を保持する係止部２３を設け開閉可能な構成とした。
【００２２】
上記構成による食器洗い機、特に操作パネル周辺の動作、作用について説明する。箱体１５の上蓋１５ｂに回転軸２２を有し、収納体１５ａに回転軸２２を保持する係止部２４を設け開閉可能な構成とすることにより、箱体１５の上蓋１５ｂを閉めるときは、下の収納体１５ａとツメ１７ｂ嵌合で取り付けるようため、連結部１８に連結後に再度取り外しが必要な場合は、上蓋１５ｂを開閉するだけで連結部１８の連結を外す事ができるため、部品交換などの作業性を向上させることができるとともに、作業工数を少なくすることにより組立不具合の発生を抑えることを実現することができる。
【産業上の利用可能性】
【００２３】
以上のように、本発明は、コネクタの収納方法、サービス時の制御装置の交換や充電部への水滴付着を防止することができるとともに、仮に水がリード線をつたって浸入しコネクタ部でショートを起こした場合でも箱体を不燃化材料で構成することにより、箱体内部で窒息消化が可能のため、製品安全性を向上させることができるので、食器洗い機の制御
装置や洗濯機の制御装置として有用である。
【図面の簡単な説明】
【００２４】
【図１】本発明の実施の形態１における食器洗い機の断面図
【図２】同食器洗い機の箱体の構成図
【図３】同食器洗い機の箱体およびコネクタ取付け構成図
【図４】本発明の実施の形態２における箱体の構成図
【図５】従来のスイッチの操作装置を備えた食器洗い機の縦断面図
【図６】同スイッチの操作装置の断面図
【図７】同スイッチの操作装置の一部切欠した斜視図
【図８】従来の操作部のコネクタ接続斜視図
【符号の説明】
【００２５】
１  筐体
２  洗浄槽
５  扉体
１４  制御装置
１５  箱体
１５ａ  収納体
１５ｂ  上蓋
１６  操作盤
１８  連結部
１９  配線
２２  回転軸
２３  係止部
２５  カバー
【図３】
2009279113.tif 000003
【図１】
2009279113.tif 000004
【図２】
2009279113.tif 000005
【図４】
2009279113.tif 000006
【図５】
2009279113.tif 000007
【図６】
2009279113.tif 000008
【図７】
2009279113.tif 000009
【図８】
2009279113.tif 000010